(57)【要約】音声又は映像ドメイン中の入力信号（１１１）に追加情報を挿入する方法、装置（１００）及び構成が開示されている。電気ドメイン中の表示が受信され、追加情報を有する電子透かしが生成され、更に、電子透かしを表す電子透かし信号（１１３）が音声又は映像ドメインへ出力される。ここで当該電子透かし信号（１１３）は入力信号（１１１）と合成される。入力信号（１１１）を記録しようとする記録ユニット（１１４）は自動的に電子透かし信号（１１３）も記録することになるので、電子透かしが埋め込まれていない信号は得られない。装置（１００）は、コンピュータプログラム、又は、言うこと全てに自動的に電子透かしを埋め込む人間が装着可能な小さな携帯ユニットとして実現することができる。装置（１００）は、ソースへ視覚的電子透かし信号を投影することにより、物理的物体が無許可で写真撮影をされるのを防止するのに用いることができる。
2004512782.tif 000002
【特許請求の範囲】
【請求項１】
第一ドメイン中の入力信号に追加情報を挿入する方法であって、
・前記第一ドメインとは異なる第二ドメインに存在する、前記入力信号の表示を受信するステップと、
・前記追加情報を有する電子透かしを生成するステップと、
・前記電子透かしを表す電子透かし信号を前記入力信号と合成するため、当該電子透かし信号を前記第一ドメインへ出力するステップと、
を有する方法。
【請求項２】
前記第一ドメインが音声ドメインと映像ドメインとの内いずれか一方である請求項１に記載の方法。
【請求項３】
前記第二ドメインが電気ドメインである請求項１又は２に記載の方法。
【請求項４】
前記電子透かしが前記入力信号に基づいて生成される請求項１に記載の方法。
【請求項５】
前記電子透かし信号が前記入力信号のソースへ向けて出力される請求項１に記載の方法。
【請求項６】
前記電子透かし信号が前記入力信号のソースのサーフェスに出力される請求項１に記載の方法。
【請求項７】
第一ドメイン中の入力信号に追加情報を挿入する装置であって、
・前記第一ドメインとは異なる第二ドメインに存在する、前記入力信号の表示を受信する受信手段と、
・前記追加情報を有する電子透かしを生成する生成手段と、
・前記電子透かしを表す電子透かし信号を前記入力信号と合成するため、当該電子透かし信号を前記第一ドメインへ出力するステップと、を有する装置。
【請求項８】
第一ドメイン中の入力信号に追加情報を挿入する構成であって、
・前記第一ドメインとは異なる第二ドメインに存在する、前記入力信号の表示を受信する受信手段と、
・前記追加情報を有する電子透かしを生成する生成手段と、
・前記電子透かしを表す電子透かし信号を前記入力信号と合成するため、当該電子透かし信号を前記第一ドメインへ出力するステップと、
・合成された電子透かし信号及び入力信号を受信することにより電子透かしを埋め込んだ入力信号を生成する合成手段と、
を有する構成。
【請求項９】
請求項１に記載の方法をプロセッサに実行させるコンピュータプログラム。
【発明の詳細な説明】
【０００１】
【発明の属する技術分野】
本発明は、第一ドメイン中の入力信号に追加情報を挿入するための方法に関する。
【０００２】
本発明は更に、第一ドメイン中の入力信号に追加情報を挿入するための装置に関する。
【０００３】
本発明は更に、第一ドメイン中の入力信号に追加情報を挿入するための構成に関する。
【０００４】
本発明は更に、コンピュータプログラムに関する。
【０００５】
【従来の技術】
電子透かし（ｗａｔｅｒｍａｒｋｉｎｇ）は、音声又は映像などの入力信号に追加情報を挿入する処理であり、これらの入力信号に印を付ける、又は保護するための、重要で良く知られた技術である。映画の出所を識別したり、又は、コピーをオリジナルから区別したりすることを可能にするために、映画に電子透かしを埋め込むことができる。電子透かしを静止画に使用することで、無許可の第三者が提供する情報サービスから画像をダウンロードし、ダウンロードしたイメージに電子透かしが埋め込まれているか検証するだけで、無許可の第三者が複製したコピーを発見することができる。
【０００６】
電子透かしはインターネットのＵＲＬなどのメタデータを、入力信号、例えば映画に埋め込むのにも用いることができる。映画を個人的なエンターテインメント局で視聴するユーザは、埋め込まれたメタデータへアクセスし、例えば映画のワールドワイドウェブサイトにアクセスすることができる。
【０００７】
既知の電子透かし方式では、電子透かしを埋め込まなくてはならない入力信号は第一ドメイン、例えば音声ドメインから、第二ドメイン、例えば電気ドメインへ最初に変換される。次に、入力信号の第二ドメイン中での表示が分析され、電子透かしを埋め込まれる。次に電子透かしは入力信号に挿入され、このようにして得られた、電子透かしを埋め込んだ信号は、引き続き第一ドメインへ出力されることができる。電子透かしを埋め込んだ信号が更に配信されると、所有権を証明し、組み込まれたメタデータを取り返すなどするために、当該電子透かしを埋め込んだ信号を分析することができる。
【０００８】
これらの既知の方式の欠点は、電子透かしを埋め込んだ信号はオリジナルの無修正の入力信号と独立して存在するということである。入力信号は、電子透かしを生成させ、電子透かしを埋め込んだ信号を出力する装置へ供給される必要があるが、これはオリジナルの入力信号に影響しない。オリジナルの、電子透かしを埋め込んでいない信号を入手可能にすることは望ましくないため、既知の方式は、信号に電子透かしを埋め込むのに、レコーディングスタジオなどの制御された状況下でしか使用することができない。例えば、「アコースティックの（ｕｎｐｌｕｇｇｅｄ）」生演奏中にバンドが生んだ音楽は、制御されていない状況で公開されるため、電子透かしなしの海賊版コピーが作製可能である。この欠点は、展示物又はインタビューなどの視覚的入力信号については尚更に明らかである。第三者が、電子透かしを記録に埋め込まない装置を用いて自分でインタビューの記録を作製することはいつでも可能なので、公共の場所でのインタビューを完全に保護することは不可能である。
【０００９】
【発明が解決しようとする課題】
本発明の目的は、電子透かしを埋め込んだ信号を作製し、制御されていない環境ですらも電子透かしを埋め込んでいない信号の入手を不可能にするような、前文による方法を提供することである。
【００１０】
【課題を解決するための手段】
この目的は、本発明の、第一ドメインとは異なる第二ドメインに存在する、入力信号の表示を受信するステップと、追加情報を有する電子透かしを生成させるステップと、電子透かしを表す電子透かし信号を入力信号と合成するため、当該電子透かし信号を前記第一ドメインへ出力するステップと、を有する方法により達成される。好適には第一ドメインは音声ドメインと映像ドメインとの内いずれか一方であって、第二ドメインは電気ドメインである。本発明による方法では、入力信号の表示のための電子透かしを生成させ、次に、表示へ電子透かしを挿入して、電子透かしを埋め込んだ信号として当該表示を出力する代わりに、電子透かしの表示を、オリジナルの入力信号と合成することのできる第一ドメインへ出力する。よって、オリジナルの入力信号自身が電子透かしを埋め込んであることになり、電子透かしを埋め込んでいない信号は存在しないことになる。例えば、絵の展示会を考えよう。絵のための電子透かしが生成され、電子透かしが埋め込まれた絵のコピーを出力する代わりに、視覚的電子透かしが、壁に掛かった実物の絵に投影される。これでこの絵の全ての写真などには電子透かしが埋め込まれることになる。
【００１１】
一つの実施例では電子透かしは更に、入力信号に基づいて生成される。この実施例の利点は、電子透かしを入力信号に基づいて適応させることが、入力信号により適する（例えばより気にならない）電子透かしの作製を可能にするということである。この目的のため、電子透かしの生成は、認知マスキングを有することができる。例えば、インタビューからの音声入力信号の場合には、インタビューされている人の声を分析することができ、これに対応して電子透かし信号が適応させられる。同様に、展示された芸術作品からの映像入力信号の場合には、照明の状況を分析することができ、これに対応して電子透かし信号が適応させられる。
【００１２】
更なる実施例では電子透かし信号は入力信号のソースへ出力される。この実施例の利点は、この方法では複数の入力信号が、それぞれの方向に関わらず電子透かし信号と混合されるということである。展示された芸術作品の場合、電子透かし信号を照明システムにより当該芸術作品へ投影することができ、これにより当該芸術作品の画像と混合した電子透かし信号を含まない映像信号を生成させることは不可能になる。
【００１３】
更なる実施例では電子透かし信号は入力信号のソースのサーフェスに出力される。この実施例の利点は、入力信号のソースの無許可での記録を防止するのを可能にすることである。例えば、可撓的なディスプレイを有する衣類を着用している人は当該可撓的なディスプレイから視覚的電子透かし信号を投影することができ、当該人の写真を撮影する者は誰でも常に、視覚的電子透かしが入った写真を撮影することになる。
【００１４】
本発明の更なる目的は、電子透かしを埋め込んだ信号を作製し、制御されていない環境ですらも電子透かしを埋め込んでいない信号の入手を不可能にするような、前文による装置を提供することである。
【００１５】
この目的は、本発明の、第一ドメインとは異なる第二ドメインに存在する、入力信号の表示を受信する受信手段と、追加情報を有する電子透かしを生成させる生成手段と、電子透かしを表す電子透かし信号を入力信号と合成するため、当該電子透かし信号を第一ドメインへ出力する、前記第一ドメインへ出力する出力手段と、を有する装置により達成される。
【００１６】
本発明の更なる目的は、電子透かしを埋め込んだ信号を作製し、制御されていない環境ですらも電子透かしのついていない信号を入手することを不可能にするような、前文による構成を提供することである。
【００１７】
この目的は、本発明の、第一ドメインとは異なる第二ドメインに存在する、入力信号の表示を受信する手段と、追加情報を有する電子透かしを生成させる生成手段と、電子透かしを表す電子透かし信号を入力信号と合成するため、当該電子透かし信号を第一ドメインへ出力する、前記第一ドメインへ出力する出力手段と、合成された電子透かし信号及び入力信号を受信することにより電子透かしを埋め込んだ入力信号を生成する合成手段と、を有する構成により達成される。本発明によるこの構成では、電子透かし信号とオリジナルの入力信号とは、電子透かしを埋め込んだ入力信号を得るために混合され、これは、所望なら他の技術を用いて更に処理することができる。この構成は通常、上記のとおり、表示を受信し、電子透かしを生成させ、電子透かし信号を出力する第一装置と、電子透かし信号と混合されたオリジナルの入力信号を得る第二装置とを使用することにより実現される。芸術作品の展示の場合には、第一装置は当該芸術作品に電子透かし信号を投影する照明システムで、第二装置は例えばカメラである。
【００１８】
本発明の更なる目的は、本発明による方法をプロセッサに実行させるコンピュータプログラムを提供することである。
【００１９】
本発明の、これらの及び他の側面は、図に示された実施例を参照し、明らかにされる。
【００２０】
図を通して、同一の参照番号は類似した又は対応した機能を示す。図に示された機能の幾つかは通常ソフトウェアとして実施され、ソフトウェアモジュール又はオブジェクトなどのソフトウェアエンティティを表す。
【００２１】
【発明の実施の形態】
図１は本発明による装置１００の第一実施例を模式的に示す。装置１００は受信モジュール１０１と、生成モジュール１０２と、出力モジュール１０３とを有する。ソース１１０は入力信号１１１を生成させる。本発明は、多くの異なるソース１１０が多くの異なる入力信号１１１を生成させる多くの状況において使用することができる。例えば、ソース１１０はインタビューをしている、歌を歌っている、又は講義をしている生身の人間であり得る。ソース１１０はコンサートをしている又は生演奏をしているバンドであり得る。入力信号１１１は、例えば音声信号又は映像信号の形式で、他のドメインも可能であるが往々にして音声又は映像ドメインである、第一ドメイン中にある。
【００２２】
受信モジュール１０１は入力信号１１１の表示を受信する。この表示は第一ドメインとは異なる第二ドメインにある。好適には第二ドメインは、表示が通常入力信号１１１をマイクで録音して得られた電気信号である、電気ドメインである。例えば入力信号１１１をデジタル化する、又はソース１１０から放送信号を受信するなど、他の変換も可能である。表示の受信は、入力信号を受信し、これを第二ドメインへ変換した後に、更なる処理ステップを随意に含むことができる。
【００２３】
表示は、当該表示と共に用いられる追加情報１１２を有する電子透かしを生成させる生成モジュール１０２へ供給される。電子透かしは入力信号１１１に適したいかなる電子透かし技術を用いても生成させることができ、好適には表示に基づく。特には、追加電子透かし技術を使用することができる。追加電子透かし技術を使用して、電子透かしを埋め込んだ信号を形成するため、通常入力信号１１１への追加により入力信号１１１と混合される、電子透かしが生成させられる。しかし本発明によれば、出力モジュール１０３が、電子透かし信号１１３を入力信号１１１と合成するため、電子透かしを表す電子透かし信号１１３を第一ドメインへ出力する。
【００２４】
出力は直接的又は間接的に行うことができる。直接的に行う場合には、電子透かし信号１１３は、入力信号１１１と直接混合するように出力させることができ、両者は何らかの外部受信ユニット１１４へ共に到達する。間接的に行う場合には、電子透かし信号１１３は電子透かしを要する入力信号１１１を介して受信ユニット１１４へ到達する。これは例えば、電子透かし信号１１３を入力信号１１１のソース１１０へ向けて出力させることにより可能である。これは第一ドメインが映像ドメインである場合に特に適切である。例えば、絵の展示会を考えよう。絵のための電子透かしが生成され、電子透かしが組み込まれた絵のコピーを出力する代わりに、視覚的電子透かしが壁に掛かった実物の絵に投影される。
【００２５】
生成した電子透かしは全く感知不能か、又は気にならない程度のものであり得る。感知不能な電子透かしは人間の観察者には不可視または不可聴で、気にならない電子透かしは人間の観察者に可視又は可聴であるが邪魔にはならない。この選択は装置１００の特定のアプリケーションに依存する。幾つかの状況では、入力信号１１１には電子透かしが埋め込んであるという事実を明らかにし、潜在的な敵対者が違法な記録を作製することを思い止まらせることは望ましいかもしれない。代替的に、通常人間の観察者のために作製されたのではないメタデータを入力信号に埋め込むのに電子透かしを使用することができ、この場合電子透かしは不可視且つ不可聴であるべきである。
【００２６】
追加情報１１２は静的、例えば時間に対して一定か、又は動的であり得る。インタビューを受ける人間の素性は静的な有効搭載量の例であり、インタビューの時間及び場所に関する情報はインタビュー中に変化し得るので、動的な有効搭載量の例である。
【００２７】
装置１００は随意に、入力信号１１１の環境パラメータの分析に更に基づいた電子透かしを生成させることができる。これは、例えば、より気にならないため入力信号１１１により良く適合する、電子透かしの作製を可能にする。この目的のため、生成モジュール１０２は認知マスキング用に構成させることができる。例えば、インタビューからの音声入力信号の場合には、インタビューされている人の声を分析することができ、これに対応して電子透かし信号が適応させられる。同様に、展示された芸術作品からの映像入力信号の場合には、照明の状況を分析することができ、これに対応して電子透かし信号が適応させられる。これらの適応は装置１００の認知の働きを向上させるために行われる。
【００２８】
受信モジュール１０１と、生成モジュール１０２と、出力モジュール１０３と、受信ユニット１１４とを有する構成は、オリジナルの入力信号１１１から電子透かしを埋め込んだ入力信号１１５を生成させることができる。この構成を用いることで、電子透かしのついていない入力信号１１１の入手は不可能になる。
【００２９】
装置１００は、本発明による方法をプロセッサに実行させるコンピュータプログラム１２０として実現することができる。このコンピュータプログラム１２０は、当該コンピュータプログラムを実行するとき、プログラム可能な装置を装置１００として機能させることを可能にする。
【００３０】
図２は装置１００の第二実施例を模式的に示し、ここでは装置１００は、人間２００が着用する又は運ぶことのできる小さな携帯ユニットとして示されている。これは、例えば人間２００が、スピーチと混合する音声電子透かし信号１１３を携帯ユニットに放射させることにより、言うこと全てに電子透かしを埋め込むことを可能にする。
【００３１】
装置１００は、衣服に組み込まれた可撓的なディスプレイ又は拡声器として実現することもできる。これは、この衣服の着用者が言うこと全てに電子透かしを付けるか、又は、前記着用者の写真全てに電子透かしが埋め込まれることを可能にする。この場合、電子透かし信号１１３は入力信号１１１のソース２００のサーフェスに出力される。
【００３２】
本発明による方法は、受信ユニット１１４として移動電話などの移動装置が特に適切である。好適には音声信号である電子透かしを埋め込んだ入力信号１１５は、音声ドメインを伝播して受信ユニット１１４へ到達するため、マイク又は類似した受信手段を有するいかなる装置でも前記信号１１５を受信することが可能であり、適切な機材を用いれば、電子透かしを検知し、これを処理することができる。
【００３３】
実際上は、これは、このような受信手段を有する移動装置の所有者は、移動装置を出力モジュール１０３へ向けるだけでこの電子透かしを検知することができるということを意味する。
【００３４】
図３は、装置１００の第三実施例を、照明ユニット３００を出力モジュール１０３の一部として模式的に示す。電子透かし信号１１３は、入力信号１１１のソース１１０へ向けて出力され、ここで当該ソース１１０は、芸術作品、サッカーの試合又は他の何らかのイベントなど、電子透かしが必要ないかなるソース１１０でもよい。電子透かしパターンを含む照明ユニット３００中の照明フィルタは、必要な照明を作製するのに使用することができる。このとき、この「電子透かしを埋め込んだ照明」は、第三者により写真を撮影されたり、又はフィルムに記録されたりするかもしれない場を照らすのに使用される。ビデオ録画をより良く防止するために、照明フィルタは動的に変化する電子透かしパターンを含むことができる。
【００３５】
装置１００は、音声及び映像の電子透かしの同時生成ができるようにすることができる。通常の方法で、装置１００により作製された電子透かし信号１１３と混合した入力信号１１１に、電子透かしを生成させ挿入することが可能である。
【図面の簡単な説明】
【図１】本発明による装置の第一実施例の模式図。
【図２】装置の第二実施例の模式図。
【図３】装置の第三実施例の模式図。
【国際公開パンフレット】
2004512782.tif 000003
2004512782.tif 000004
2004512782.tif 000005
2004512782.tif 000006
2004512782.tif 000007
2004512782.tif 000008
2004512782.tif 000009
2004512782.tif 000010
2004512782.tif 000011
2004512782.tif 000012
2004512782.tif 000013
2004512782.tif 000014
2004512782.tif 000015
【国際調査報告】
2004512782.tif 000016
2004512782.tif 000017
2004512782.tif 000018